(57)【要約】【課題】一本の螺子（ビス）を用いるだけでベース金具に対して一つの壁掛け金具を高い取り付け信頼性のもとで取り付けることができる壁掛け機構を提供する。【解決手段】ベース金具（１０）の第１の接触部（１１）に設けた折れ曲がり部（１１３）を、壁掛け金具（２０）の第１の脚部（２１）の第１の上面（２１１）と第１および第２の屈曲片（２１５ａ，２１５ｂ）とによって構成されるコの字型の構造部分に嵌挿し、一本の雄螺子（３０）でビス留めする。【選択図】図４
2014192634.tif 000002
【特許請求の範囲】
【請求項１】
短冊形状のベース金具と、当該ベース金具の片面側に取り付けられる壁掛け金具とを備えた壁掛け機構であって、
上記壁掛け金具は、上記ベース金具と接触する第１および第２の脚部と、当該第１の脚部および当該第２の脚部の間の位置に在る本体部とを有しており、
上記ベース金具は、上記第１の脚部と接触する第１の接触部と、上記第２の脚部と接触する第２の接触部と、当該第１の接触部および当該第２の接触部の間の位置に在って上記本体部と対向する離間部とを有しており、
上記第１の接触部は、上記片面から立ち上がった立ち上がり部と、当該立ち上がり部に連なり、上記離間部側に折れ曲がってなる折れ曲がり部とを有しており、
上記第１の脚部は、当該第１の脚部と上記本体部と上記第２の脚部とが配列している方向に対して垂直方向に所定の幅を有する、上記折れ曲がり部に接触する上面と、当該幅の両端において、当該上面から立ち上がる方向に屈曲した第１および第２の屈曲片とを有しており、
上記折れ曲がり部は、上記上面と上記第１の屈曲片と上記第２の屈曲片とによって構成されるコの字型の構造部分に嵌挿されていることを特徴とする壁掛け機構。
【請求項２】
上記第２の脚部と上記第２の接触部とを少なくとも一箇所において螺子留めすることによって、上記壁掛け金具は上記ベース金具に取り付けられていることを特徴とする請求項１に記載の壁掛け機構。
【請求項３】
上記ベース金具は板材からなり、
上記立ち上がり部および上記折れ曲がり部は、上記板材の一部分を折れ曲げ加工して形成されたものであることを特徴とする請求項１または２に記載の壁掛け機構。
【請求項４】
上記第２の脚部と上記第２の接触部とには、上記ベース金具の所定位置に上記壁掛け金具を位置決めするための位置決め部が設けられていることを特徴とする請求項１から３までの何れか１項に記載の壁掛け機構。
【請求項５】
上記折れ曲がり部の先端部分は、上記離間部側に向かって先細りしているテーパー形状となっていることを特徴とする請求項１から４までの何れか１項に記載の壁掛け機構。
【請求項６】
上記壁掛け金具には、更に、上記本体部を挟んで対向する箇所に第３の脚部と第４の脚部とを有しており、
上記ベース金具の上記離間部には、上記第３および第４の脚部を嵌合する嵌合部が設けられていることを特徴とする請求項１から５までの何れか１項に記載の壁掛け機構。
【請求項７】
ベース金具の片面側に取り付けて用いることができる壁掛け金具であって、
上記ベース金具と接触する第１および第２の脚部と、
上記第１の脚部および上記第２の脚部の間の位置に在る本体部とを有し、
上記第１の脚部は、当該第１の脚部と上記本体部と上記第２の脚部とが配列している方向に対して垂直方向に所定の幅を有する上面と、当該幅の両端において、当該上面から立ち上がる方向に屈曲した第１および第２の屈曲片とを有しており、
上記上面と上記第１の屈曲片と上記第２の屈曲片とによって構成されるコの字型の構造部分に、上記ベース金具の一部分を嵌挿する構成となっていることを特徴とする壁掛け金具。
【請求項８】
ベース金具と接触する第１および第２の脚部と、当該第１の脚部および当該第２の脚部の間の位置に在る本体部とを有する壁掛け金具を、片面側に取り付ける当該ベース金具であって、
上記第１の脚部と接触する第１の接触部と、
上記第２の脚部と接触する第２の接触部と、
当該第１の接触部および当該第２の接触部の間の位置に在って上記本体部と対向する位置に在る離間部とを有しており、
上記第１の接触部は、上記片面から立ち上がった立ち上がり部と、当該立ち上がり部に連なり、上記離間部側に折れ曲がってなる折れ曲がり部とを有しており、
上記立ち上がり部と上記折れ曲がり部とによって形成される間隙部分に、上記第１の脚部を嵌挿することができ、
上記第１の脚部における、当該第１の脚部と上記本体部と上記第２の脚部とが配列している方向に対して垂直方向に所定の幅を有する上面と、当該幅の両端において、当該上面から立ち上がる方向に屈曲した第１および第２の屈曲片とのうちの当該第１および第２の屈曲片と接触する端部を、上記折れ曲がり部は有していることを特徴とするベース金具。
【発明の詳細な説明】
【技術分野】
【０００１】
本発明は、薄型表示装置等の装置あるいは筐体を壁掛けするための壁掛け金具、および当該壁掛け金具を取り付けるベース金具に関する。
【背景技術】
【０００２】
薄型テレビの設置形態として、絵画のように壁に設置することによってスタイリッシュな印象を与える壁掛け式が注目されている。近年では、６０型を超える大画面を有する薄型テレビを壁掛け式によって設置したり、電子黒板や電子看板（デジタルサイネージ）等の壁掛け設置も増大してきており、壁掛け強度を高めた様々な壁掛け機構が知られている。
【０００３】
例えば、図６は、画像を表示する表示面を前側に有した表示装置の背面側を示す図である。図６に示す表示装置１０００の背面側１００１には、略短冊形に成形されたベース金具１０１０と、当該ベース金具１０１０に取り付けられた壁掛け金具１０２０とが配設されている。ベース金具１０１０は、長手方向両端側に、挿通孔１０１７（図６では一方側のみを図示）が設けられており、この挿通孔１０１７が表示装置のバックライトシャーシ１０４０に背面側から取付けられることによって、ベース金具１０は表示装置の背面側１００１を縦断するように配される。なお、図６では、１つのベース金具１０１０と、１つの壁掛け金具１０２０が図示されているが、実際には、表示装置の背面側１００１には、少なくとも２つのベース金具１０１０が互いに平行に配設され、１つのベース金具１０１０に対して、互いに所定の距離で離間した少なくとも２つの壁掛け金具１０２０が配設される。すなわち、表示装置１０００の背面側１００１には、少なくとも４つの壁掛け金具１０２０が配設されている。各壁掛け金具１０２０には、左右それぞれに２つの螺子孔が設けられており、この螺子孔は、ベース金具１０１０および壁掛け金具１０２０が表示装置のキャビネット部材（付図示）によって覆われた状態においても外部に開放している。
【０００４】
また、ベース金具１０１０には、長手方向の中央部に延設されている溝部１０１３を挟んで両側にそれぞれ、一つの位置合わせ凸部と、二つの雌螺子部とを有している。一方、壁掛け金具１０２０には、中央部１０２３を挟んだ左右側に、当該中央部１０２３を上段とする段差の下段としての取付面１０２１，１０２２を有している。左右各々の取付面１０２１，１０２２には、それぞれ、上記二つの雌螺子部のそれぞれに螺合させる雄螺子（ビス）１０３０を貫通させる二つの孔と、上記一つの位置合わせ凸部に嵌合する位置合わせ凹部１０５０，１０５０とが設けられている。
【発明の概要】
【発明が解決しようとする課題】
【０００５】
図６の構成では、一つの壁掛け金具１０２０をベース金具１０１０に取り付ける際、二箇所の位置合わせ部において位置合わせをおこない、四本の雄螺子（ビス）１０３０を用いて取り付ける。これにより、ベース金具１０１０に対する壁掛け金具１０２０の取り付け強度を確保し、薄型テレビの壁掛け強度を確保している。しかしながら、図６の構成は、取り付け作業性の観点からいえば問題がある。具体的には、定速で流れる生産ライン上で、二箇所の位置合わせと四本のビス留めをおこなうと、生産ラインのスピードにその作業が追い付かず、壁掛け金具１０２０をベース金具１０１０の所定位置に取り付けられない場合がある。また、生産時間が長期に及ぶことによるコストアップも避けられない。
【０００６】
また、図６のように、一つの壁掛け金具１０２０が二つの位置合わせ箇所と四本の雄螺子（ビス）１０３０とを用いてベース金具１０１０に取り付けられているため、解体も容易でない。これは家電リサイクルの観点から好ましくない。
【０００７】
そこで、本発明は上記の問題点に鑑みてなされたものであり、その目的は、十分な壁掛け強度を実現する簡素な構成の壁掛け機構を提供するとともに、当該機構に具備される壁掛け金具およびベース金具を提供することにある。
【課題を解決するための手段】
【０００８】
上記の課題を解決するために、本発明に係る壁掛け機構は、
短冊形状のベース金具と、当該ベース金具の片面側に取り付けられる壁掛け金具とを備えた壁掛け機構であって、
上記壁掛け金具は、上記ベース金具と接触する第１および第２の脚部と、当該第１の脚部および当該第２の脚部の間の位置に在る本体部とを有しており、
上記ベース金具は、上記第１の脚部と接触する第１の接触部と、上記第２の脚部と接触する第２の接触部と、当該第１の接触部および当該第２の接触部の間の位置に在って上記本体部と対向する離間部とを有しており、
上記第１の接触部は、上記片面から立ち上がった立ち上がり部と、当該立ち上がり部に連なり、上記離間部側に折れ曲がってなる折れ曲がり部とを有しており、
上記第１の脚部は、当該第１の脚部と上記本体部と上記第２の脚部とが配列している方向に対して垂直方向に所定の幅を有する、上記折れ曲がり部に接触する上面と、当該幅の両端において、当該上面から立ち上がる方向に屈曲した第１および第２の屈曲片とを有しており、
上記折れ曲がり部は、上記上面と上記第１の屈曲片と上記第２の屈曲片とによって構成されるコの字型の構造部分に嵌挿されていることを特徴としている。
【０００９】
また、上記の課題を解決するために、本発明に係る壁掛け金具は、
ベース金具の片面側に取り付けて用いることができる壁掛け金具であって、
上記ベース金具と接触する第１および第２の脚部と、
上記第１の脚部および上記第２の脚部の間の位置に在る本体部とを有し、
上記第１の脚部は、当該第１の脚部と上記本体部と上記第２の脚部とが配列している方向に対して垂直方向に所定の幅を有する上面と、当該幅の両端において、当該上面から立ち上がる方向に屈曲した第１および第２の屈曲片とを有しており、
上記上面と上記第１の屈曲片と上記第２の屈曲片とによって構成されるコの字型の構造部分に、上記ベース金具の一部分を嵌挿する構成となっていることを特徴としている。
【００１０】
また、上記の課題を解決するために、本発明に係るベース金具は、
ベース金具と接触する第１および第２の脚部と、当該第１の脚部および当該第２の脚部の間の位置に在る本体部とを有する壁掛け金具を、片面側に取り付ける当該ベース金具であって、
上記第１の脚部と接触する第１の接触部と、
上記第２の脚部と接触する第２の接触部と、
当該第１の接触部および当該第２の接触部の間の位置に在って上記本体部と対向する位置に在る離間部とを有しており、
上記第１の接触部は、上記片面から立ち上がった立ち上がり部と、当該立ち上がり部に連なり、上記離間部側に折れ曲がってなる折れ曲がり部とを有しており、
上記立ち上がり部と上記折れ曲がり部とによって形成される間隙部分に、上記第１の脚部の一部を挿入することができ、
上記第１の脚部における、当該第１の脚部と上記本体部と上記第２の脚部とが配列している方向に対して垂直方向に所定の幅を有する上面と、当該幅の両端において、当該上面から立ち上がる方向に屈曲した第１および第２の屈曲片とのうちの当該第１および第２の屈曲片と接触する端部を、上記折れ曲がり部は有していることを特徴としている。
【発明の効果】
【００１１】
本発明によれば、一本の螺子（ビス）を用いるだけでベース金具に対して一つの壁掛け金具を高い取り付け信頼性のもとで取り付けることができるという効果を奏する。
【図面の簡単な説明】
【００１２】
【図１】本発明の実施形態１に係る壁掛け機構を具備する表示装置の背面図である。
【図２】実施形態１の壁掛け機構に具備される壁掛け金具の斜視図である。
【図３】図中の（ａ）は実施形態１の壁掛け機構に具備されるベース金具の上面図であり、図中の（ｂ）は、（ａ）に示す切断線Ａ−Ａ´における矢視断面図である。
【図４】図中の（ａ）は実施形態１の壁掛け機構の上面図であり、図中の（ｂ）は、（ａ）に示す切断線Ｂ−Ｂ´における矢視断面図である。
【図５】図中の（ａ）は本発明の他の実施形態に係る壁掛け機構の上面図であり、図中の（ｂ）は、（ａ）に示す切断線Ｃ−Ｃ´における矢視断面図である。
【図６】従来構成の図である。
【発明を実施するための形態】
【００１３】
＜実施形態１＞
以下、本発明に係る壁掛け機構の一実施形態について、図１から図４を用いて説明する。
【００１４】
本発明に係る壁掛け機構は、壁掛け式で配設可能な装置、機器または筐体に対して取り付けることによって、その壁掛けを実現する壁掛け機構として採用することができる。特に、本発明に係る壁掛け機構は、十分な壁掛け強度を実現することができるため、比較的重量のある大画面を有した薄型テレビを壁掛けする際に好適に利用することができる。そこで、本実施形態では、例えば６０型の大画面を有する薄型テレビ（以下、表示装置）を壁掛け対象物として、本発明に係る壁掛け機構の一実施形態を説明する。
【００１５】
（表示装置５０）
図１は、本実施形態の壁掛け機構を備えた表示装置の背面側の構成を示す背面図である。
【００１６】
表示装置５０は、略直方体の外形をなし、画像表示面を前面側に有する液晶表示パネルと、液晶表示パネルの背面側に配された光学シートと、バックライトユニットと、これら液晶表示パネル等を支持する支持体４０と、支持体４０の背面側に配された複数の回路基板とを主な構成要素としている。なお、本実施形態の壁掛け機構が直接的に関係するのは、表示装置５０の各構成要素のうちの支持体４０のみであるため、図１では、支持体４０以外は図示せず、またその説明も省略する。なお、支持体４０は、上述した複数の構成部材の全てを支持している必要はなく、バックライトシャーシであってもよい。しかしながら、支持体４０には、本実施形態の壁掛け機構が取り付けられることから、表示装置５０の骨格構造となり得る部材を支持体４０とすべきである。
【００１７】
図１は紙面の上下が表示装置５０の画像表示面の上下に対応しており、支持体４０は、表示装置５０の背面の左右方向に沿って延設されており、且つ、上下二箇所に設けられている。
【００１８】
以上の構成の表示装置５０の壁掛けを本実施形態の壁掛け機構１が実現する。以下に壁掛け機構１を構成を説明するが、表示装置５０は壁掛け式で設置する態様に限定されるものではなく、スタンド式で床などの上に載置することもできる。なお、スタンド式を採用する場合には従来周知のスタンドを表示装置５０の下部に取り付ければよい。
【００１９】
（壁掛け機構１）
壁掛け機構１は、表示装置５０の上下二箇所に配された支持体４０に両端を固定して配設されている二本の短冊形状のベース金具１０と、各ベース金具１０の片面側に取り付けられた二つの壁掛け金具２０とを有している。なお、本実施形態では表示装置５０を壁掛け対象物としているため、壁掛け金具２０の配設数（合計四つ）と配設箇所とをＶＥＳＡ規格に基づいて設定しているが、壁掛け対象物が表示装置以外のものであれば、壁掛け金具の配設数と配設箇所は本実施形態の設計とは異なってよい。
【００２０】
二本のベース金具１０は表示装置５０の各支持体４０の延設方向に沿って並行に配設されており、各ベース金具１０は、表示装置５０の上下方向に沿って延設された短冊形状の板状部材である。
【００２１】
ベース金具１０における、図１に示す表示装置５０の背面側に対向する側は、当該背面と非接触状態で設置される。なお、必ずしも非接触状態である必要はなく、当該背面とベース金具１０とが所定距離を有して離間した状態を維持するためのスペーサーとしてベース金具１０の少なくとも一部が背面に接触していてもよい。
【００２２】
壁掛け金具２０は、一本のベース金具１０の延設方向に沿った二箇所に取り付けられている。
【００２３】
図示しない壁への表示装置５０の設置は、各壁掛け金具２０の後述する本体部２３（図２）に設けられている螺子孔２３ｂ（図２）に、それぞれ雄螺子を螺合することにより、当該雄螺子を介して、壁に別途固定した壁用金具（不図示）と接続することによって実現することができる。
【００２４】
本実施形態は、ベース金具１０と壁掛け金具２０との取り付け部分の構造に特徴を有している。そこで、以下に、壁掛け金具２０およびベース金具１０のそれぞれについて説明する。
【００２５】
（壁掛け金具２０）
壁掛け金具２０は、ベース金具１０の片面側に取り付けて用いることができるアングルである。壁掛け金具２０の構造について、図２に基づいて説明する。図２は、壁掛け金具２０の斜視図である。また、図２にはＸ，Ｙ，Ｚで示される３次元軸を示しており、これは図１に示す３次元軸と同一である。
【００２６】
壁掛け金具２０は、ベース金具１０と接触する第１の脚部２１および第２の脚部２２と、第１の脚部２１および第２の脚部２２の間の位置に在る本体部２３とを有している。第１の脚部２１と第２の脚部２２とは、本体部２３におけるＸ軸方向の両側に位置している。すなわち、図１の表示装置５０にベース金具１０を介して取り付けられた状態において、第１の脚部２１と、本体部２３と、第２の脚部２２とはこの順で左右方向に並んでいる。
【００２７】
本体部２３は、第１の脚部２１および第２の脚部２２よりもＺ軸を正方向に突出している。すなわち、図１のようにベース金具１０を介して表示装置５０に取り付けられた状態において、本体部２３は設置する壁の側に向かって第１の脚部２１および第２の脚部２２よりも突出している。
【００２８】
本体部２３の上面２３ａには、螺子孔２３ｂが設けられた円筒部２３ｃを有しており、円筒部２３ｃは雌螺子として機能し、当該雌螺子が、雄螺子を介して、壁に別途取り付けた壁用金具に固定される。
【００２９】
第１の脚部２１は、第１の脚部２１と本体部２３と第２の脚部２２とが配列している方向（Ｘ軸方向）に対して垂直方向（すなわちＹ軸方向）に第１の所定幅Ｗ１を有する第１の上面２１１、および、当該垂直方向（Ｙ軸方向）に第１の所定幅Ｗ１よりも幅の広い第２の所定幅Ｗ２を有する第２の上面２１２を有している。第２の上面２１２は第１の上面２１１と本体部２３との間に位置している。第１の上面２１１と第２の上面２１２とは面一であるが、第１の上面２１１と第２の上面２１２との境界部には切り欠き２１３，２１３が設けられている。
【００３０】
第１の上面２１１には、第１の所定幅Ｗ１の中間位置に、ビス留め用の孔２１４が設けられている。この点については後述する。
【００３１】
また、第１の上面２１１における第１の所定幅Ｗ１の両端側には、当該上面から立ち上がる方向に屈曲した第１の屈曲片２１５ａおよび第２の屈曲片２１５ｂとが設けられている。すなわち、第１の脚部２１は、第１の上面２１１と第１の屈曲片２１５ａと第２の屈曲片２１５ｂとによってコの字型の構造を形成している。
【００３２】
第２の脚部２２は、第１の脚部２１と同一平面上に位置している。第２の脚部２２には、位置決め用穴２２１（位置決め部）と、金具固定用ビス留め孔２２２とが設けられている。位置決め用穴２２１は、ベース金具１０の片面に設けられた後述する位置決め用凸部１２１（図３）（位置決め部）が嵌合するサイズと形状を有している。
【００３３】
ここで、壁掛け金具２０はベース金具１０の片面に対して、１本の螺子（ビス）によって固定される。上記金具固定用ビス留め孔２２２は、この１本の螺子を挿入するための孔である。
【００３４】
位置決め用穴２２１と金具固定用ビス留め孔２２２とは、Ｙ軸に沿って並んで設けられている。
【００３５】
壁掛け金具２０は、更に、図２に示す第３の脚部２５および第４の脚部２６を有している。第３の脚部２５と第４の脚部２６とは、その間に本体部２３が位置して、本体部２３におけるＹ軸方向の両側に位置している。すなわち、図１の表示装置５０にベース金具１０を介して取り付けられた状態において、第３の脚部２５と、本体部２３と、第４の脚部２６とはこの順で上下方向に並んでいる。換言すれば、第１の脚部２１と、第２の脚部２２と、第３の脚部２５と、第４の脚部２６とは、本体部２３の四方を囲む位置は配されている。
【００３６】
第３の脚部２５および第４の脚部２６は、ＸＺ平面に広がる板部であり、壁掛け金具２０がベース金具１０を介して図１に示すように表示装置５０に取り付けられた状態において、ベース金具１０の後述する挿入孔に挿入する構成となっている。
【００３７】
以上の構成の壁掛け金具２０は、円筒部２３ｃを嵌挿する開口部を設けた一枚板をプレス加工し、当該開口部に円筒部２３ｃを嵌挿し固定することによって製造することができるが、製造方法はこれに限定されるものではない。
【００３８】
なお、壁掛け金具２０は、金属製とすることができ、中でも、強度を重視して鉄によって構成することが好ましい。
【００３９】
本実施形態の特徴的構成の一つが、上述したコの字型の構造を有した第１の脚部２１にある。このコの字型の部分に、ベース金具１０の後述する一部分を嵌挿することにより、壁掛け金具のベース金具１０への取り付け強度が強化される。
【００４０】
（ベース金具１０）
ベース金具１０については、図３を用いて説明する。図３の（ａ）は、図１に示す破線の丸囲みの部分のベース金具１０を、壁掛け金具２０の取り付け側から見た平面図であり、図３の（ｂ）は、（ａ）に示す切断線Ａ−Ａ´における矢視断面図である。
【００４１】
ベース金具１０には、短冊形状の長手方向の両端に、図１に示す支持体４０に螺子留めするための螺子挿入用の孔１０ａが設けられている（図３では上端の孔１０ａのみを示す）。
【００４２】
ベース金具１０には、更に、壁掛け金具２０の第１の脚部２１と接触する第１の接触部１１と、壁掛け金具２０の第２の脚部２２と接触する第２の接触部１２と、第１の接触部１１および当該第２の接触部１２の間の位置に在って壁掛け金具２０の本体部２３と対向する溝部１３（離間部）とを有している。
【００４３】
溝部１３は、第１の接触部１１および第２の接触部１２の表面位置よりも凹んだ形状を有してなり、ベース金具１０が表示装置５０に取り付けられた状態において、溝部１３は表示装置の上下方向（すなわちＹ軸方向）に延設されている。
【００４４】
溝部１３には、壁掛け金具２０の取り付け位置に、壁掛け金具２０の第３の脚部２５および第４の脚部２６をそれぞれ挿入する開口部１３ａ，１３ａが設けられている。
【００４５】
第２の接触部１２は、第２の脚部２２と接触する上面に、第２の脚部２２の位置決め用穴２２１に嵌合する位置決め用凸部１２１と、金具固定用ビス留め孔１２２とが設けられている。この金具固定用ビス留め孔１２２は、第２の脚部２２の金具固定用ビス留め孔２２２（図２）に対応する位置に設けられている。第２の接触部１２の上面における、位置決め用凸部１２１および金具固定用ビス留め孔１２２以外の領域は、第２の脚部２２の対向面と面接触する構成となっている。
【００４６】
第１の接触部１１は、上面（片面）１１１と、当該上面からＺ軸方向を正方向に立ち上がっている立ち上がり部１１２と、立ち上がり部１１２に連なり、溝部１３側に折れ曲がってなる折れ曲がり部１１３とを有している。
【００４７】
そして、本実施形態の特徴的構成として、折れ曲がり部１１３が、上述した第１の脚部２１のコの字型の構造部分に嵌挿される点にある。
【００４８】
すなわち、折れ曲がり部１１３は、Ｙ軸方向に所定の幅ｗを有する上面１１４と、当該幅ｗの両端において、当該上面１１４から立ち上がる方向に屈曲した第１および第２の屈曲片２１５ａ，２１５ｂのうちの第１および第２の屈曲片２１５ａ，２１５ｂと接触する端部１１５ａ，１１５ｂを有している。そして、第１の脚部２１の上面（主として第１の上面２１１）と第１の屈曲片２１５ａと第２の屈曲片２１５ｂとによって構成されるコの字型の構造部分に折れ曲がり部１１３が嵌挿されることにより、折れ曲がり部１１３の下面と、第１の脚部２１の上面とが接触する構成となっている。
【００４９】
また、折れ曲がり部１１３の先端部分１１３ａは、溝部１３側に向かって先細りしているテーパー形状となっている。
【００５０】
折れ曲がり部１１３は、ベース金具１０の第１の接触部１１における溝部１３に隣接する領域の一部を打ち抜くとともに、曲げ加工を施すことにより形成することができる。すなわち、本実施形態では、折れ曲がり部１１３の下方は貫通部分１１６となっている。
【００５１】
折れ曲がり部１１３の所定の幅ｗの中間位置には、ビス留め用の孔１１７が設けられている。この孔１１７は、第１の脚部２１の第１の上面２１１に設けられているビス留め用の孔２１４に対応している。これらビス留め用の孔１１７，２１４にビスを螺着させることにより、ベース金具１０への壁掛け金具２０の取り付け強度を強化することができる。
【００５２】
ベース金具１０としては、金属製の板材を加工して製造することができる。中でも、強度を重視して鉄の板材を加工して製造することが好ましい。
【００５３】
図４は、ベース金具１０に壁掛け金具２０が取り付けられた状態の図であり、図４の（ａ）は、図１に示す破線の丸囲みの部分の壁掛け機構１（ベース金具１０および壁掛け金具２０）を壁掛け機構１の取り付け側から見た平面図であり、図４の（ｂ）は、（ａ）に示す切断線Ｂ−Ｂ´における矢視断面図である。
【００５４】
上述したように、折れ曲がり部１１３の下面と、第１の脚部２１の上面（主として第１の上面２１１）とが接触する。また、同時に、第１の脚部２１の下面のうちの一部は、上記貫通部分１１６において露出しており、残りの部分は、当該貫通部分１１６の周囲の上面１１１に接触している。
【００５５】
ここで、図４の状態において、壁掛け金具２０の本体部２３と、ベース金具１０の溝部１３とは離間している。その離間空間には、雌螺子としての円筒部２３ｃに螺合される図示しない雄螺子が露出する構成となっている。
【００５６】
（ベース金具１０への壁掛け金具２０の取り付け）
上述のように、壁掛け金具２０はベース金具１０の片面に対して、一本の雄螺子（ビス）３０（図４）によって固定される。
【００５７】
ベース金具１０への壁掛け金具２０の取り付け手順としては、まず、ベース金具１０の折れ曲がり部１１３を、壁掛け金具２０の第１の脚部２１の上述したコの字型の構造部分に嵌挿する。換言すれば、立ち上がり部１１２と折れ曲がり部１１３とによって形成される間隙部分に、第１の脚部２１の一部である、第１の上面２１１を有している部分を嵌挿する。
【００５８】
ここで、上述したように折れ曲がり部１１３の先端部分１１３ａは溝部１３側に向かって先細りしているテーパー形状となっているため、容易に嵌挿することができ、作業性の向上に寄与することができる。
【００５９】
なお、この嵌挿工程は、溝部１３に設けた開口部１３ａ，１３ａへの、壁掛け金具２０の第３の脚部２５および第４の脚部２６の挿入と略同時におこなわれる。
【００６０】
コの字型の構造部分への折れ曲がり部１１３の嵌挿に関して、コの字型の構造部分をなす第１の屈曲片２１５ａと第２の屈曲片２１５ｂが弾性変形するように構成されていてもよい。この場合、折れ曲がり部１１３が嵌挿される前の状態では第１の屈曲片２１５ａと第２の屈曲片２１５ｂとの間の幅は折れ曲がり部１１３の上記所定の幅ｗよりも狭く、折れ曲がり部１１３の挿入に伴って第１の屈曲片２１５ａおよび第２の屈曲片２１５ｂが弾性変形して当該幅が広がる構成としてもよい。この構成によれば、第１の屈曲片２１５ａと第２の屈曲片２１５ｂとの間において折れ曲がり部１１３がぐらついたり嵌挿が解除されたりする危険性を回避することができる。
【００６１】
また、同様に、立ち上がり部１１２および折れ曲がり部１１３が弾性変形する構成となっていてもよい。そして、コの字型の構造部分に嵌挿する前の状態において図３の（ｂ）の貫通部分１１６に近い位置にある折れ曲がり部１１３の先端部分１１３ａが、嵌挿によってコの字型の構造部分をなす第１の上面２１１に押し上げられる構成であってもよい。この構成も、折れ曲がり部１１３がぐらついたり嵌挿が解除されたりする危険性を回避するための一策となり得る。
【００６２】
また、折れ曲がり部１１３がぐらついたり嵌挿が解除されたりする危険性を回避する策として、立ち上がり部１１２および折れ曲がり部１１３の少なくともいずれかと、コの字型の構造部分とに凹凸形状を設け、凹部と凸部とを嵌合する構成を採用することも可能である。
【００６３】
コの字型の構造部分に折れ曲がり部１１３が嵌挿されると、ベース金具１０と壁掛け金具２０とは概ね位置合わせされたといえる。よって、図４の（ａ）に示す、第２の脚部２２の位置決め用穴２２１と、ベース金具１０の位置決め用凸部１２１との嵌合による位置決めは必ずしも必要ないが、より正確に位置決めすることができ、これにより、金具固定用ビス留め孔２２２と、金具固定用ビス留め孔１２２とをより正確に位置決めすることができることから、壁掛け強度のより一層の向上に寄与することができる。
【００６４】
最後に、金具固定用ビス留め孔２２２と、これに位置が合致している金具固定用ビス留め孔１２２に一本の雄螺子３０を螺着させる。また、折れ曲がり部１１３に設けたビス留め用の孔１１７と、これに位置が合致した第１の脚部２１の第１の上面２１１に設けられているビス留め用の孔２１４とに、一本のビスを螺着させる。
【００６５】
以上の手順によって、ベース金具１０への壁掛け金具２０の取り付けが完了する。
【００６６】
なお、本体部２３の高さ、すなわち例えば図２におけるＺ方向の長さは、例えば壁掛け設置する薄型テレビの大きさや構造によって設計することが可能である。
【００６７】
（本実施形態の作用効果）
本実施形態における壁掛け機構は、上記コの字型の構造部分への折れ曲がり部１１３の嵌挿が、ベース金具１０と壁掛け金具２０との位置決め、および、ベース金具１０への壁掛け金具２０の取り付けの双方の役割を果たしている。よって、従来構成のように、
複数箇所での位置決めと、複数本でのビス留めが不要で簡易な構成でありながら、十分な壁掛け強度を実現する壁掛け機構を提供することができる。また従来と比較して、ビス留め本数の削減に伴って取り付け作業性が向上するため、生産性アップを実現し、低コストで壁掛け機構を製造することができる。
【００６８】
また、従来と比較してビス留め本数を削減することができることから、解体も容易であり、リサイクル性を考慮し、環境面に配慮した壁掛け機構であると言える。
【００６９】
また、上述のように十分な壁掛け強度を実現することができるため、家庭用の中〜大画面を有する薄型テレビの壁掛けにも対応できるだけでなく、８０型や９０型の大画面を有する薄型テレビの壁掛けにも対応することができ、薄型テレビの大きさによってそれぞれタイプの異なる壁掛け機構を用いなければならない場合に比べ、薄型テレビの大きさに関係なく壁掛け機構を共通化することができる。
【００７０】
＜実施形態２＞
本発明の他の実施形態について、図５に基づいて説明すれば、以下のとおりである。図５は、本実施形態２の壁掛け機構１の構成を示し、ベース金具１０に壁掛け金具２０が取り付けられた状態の図であり、図５の（ａ）は壁掛け機構１の取り付け側から見た平面図であり、図５の（ｂ）は、（ａ）に示す切断線Ｃ−Ｃ´における矢視断面図である。
【００７１】
なお、説明の便宜上、前記実施形態１にて説明した部材と同じ機能を有する部材については、同じ符号を付記し、その説明を省略する。
【００７２】
上記実施形態１では、折れ曲がり部１１３の所定の幅ｗの中間位置に設けられたビス留め用の孔１１７と、第１の脚部２１の第１の上面２１１に設けられたビス留め用の孔２１４とにビスを螺着させている。
【００７３】
しかしながら、本実施形態２は、ビス留め用の孔１１７，２１４を設けていない。すなわち、ビス留め用の孔１１７，２１４を用いたビス留めが無い態様も本発明の範囲である。
【００７４】
ビス留め用の孔１１７，２１４を用いたビス留めが無くとも、十分に壁掛け強度を確保することができる。これは、上述した折れ曲がり部１１３を嵌挿している構造によるものである。ただし、ビス留め用の孔１１７，２１４を用いたビス留めをおこなうことによって、より一層、壁掛け強度を向上させることができる。
【００７５】
〔まとめ〕
本発明の態様１に係る壁掛け機構は、短冊形状のベース金具１０と、当該ベース金具１０の片面側に取り付けられる壁掛け金具２０とを備えた壁掛け機構１であって、上記壁掛け金具２０は、上記ベース金具１０と接触する第１および第２の脚部２１，２２と、当該第１の脚部２１および当該第２の脚部２２の間の位置に在る本体部２３とを有しており、上記ベース金具１０は、上記第１の脚部２１と接触する第１の接触部１１と、上記第２の脚部２２と接触する第２の接触部１２と、当該第１の接触部１１および当該第２の接触部１２の間の位置に在って上記本体部と対向する離間部（溝部１３）とを有しており、上記第１の接触部１１は、上記片面（上面１１１）から立ち上がった立ち上がり部１１２と、当該立ち上がり部１１２に連なり、上記離間部（溝部１３）側に折れ曲がってなる折れ曲がり部１１３とを有しており、上記第１の脚部２１は、当該第１の脚部２１と上記本体部２３と上記第２の脚部２２とが配列している方向に対して垂直方向に所定の幅Ｗ１を有する、上記折れ曲がり部１１３に接触する上面（第１の上面２１１）と、当該幅Ｗ１の両端において、当該上面（第１の上面２１１）から立ち上がる方向に屈曲した第１および第２の屈曲片２１５ａ，２１５ｂとを有しており、上記折れ曲がり部１１３は、上記上面（第１の上面２１１）と上記第１の屈曲片２１５ａと上記第２の屈曲片２１５ｂとによって構成されるコの字型の構造部分に嵌挿されていることを特徴としている。
【００７６】
上記の構成によれば、上記コの字型の構造部分への上記折れ曲がり部の嵌挿が、ベース金具と壁掛け金具との位置決め、および、ベース金具への壁掛け金具の取り付けの双方の役割を果たし、簡易な構成でありながら、十分な壁掛け強度を実現する壁掛け機構を提供することができる。
【００７７】
また上記の構成によれば、従来のように複数箇所での位置決めと、複数本でのビス留めが不要となる。したがって、従来と比較して、取り付け作業性が向上し、生産性のアップに寄与し、壁掛け機構を低コストで提供することができる。
【００７８】
また、従来と比較してビス留め本数を削減することができることから、解体も容易であり、リサイクル性を考慮し、環境面に配慮した壁掛け機構であると言える。
【００７９】
本発明の態様２に係る壁掛け機構は、上記態様１において、上記第２の脚部２２と上記第２の接触部１２とを少なくとも一箇所において螺子留め（雄螺子３０による螺子留め）することによって、上記壁掛け金具２０は上記ベース金具１０に取り付けられていてもよい。
【００８０】
上記の構成によれば、上述したようにコの字型の構造部分への折れ曲がり部の嵌挿が、壁掛け金具の取り付けの役割を担っていることから、従来のように複数本のビス留めを必要とせず、少なくとも一箇所において螺子（ビス）留めすれば十分な取り付け強度を実現して壁掛け金具をベース金具に取り付けることができる。
【００８１】
本発明の態様３に係る壁掛け機構は、上記態様１または２において、上記ベース金具は板材からなり、上記立ち上がり部１１２および上記折れ曲がり部１１３は、上記板材の一部分を折れ曲げ加工して形成されたものであってよい。
【００８２】
上記の構成によれば、立ち上がり部および折れ曲がり部はベース金具と一体的に構成されたものであることから、ベース金具とは別に立ち上がり部および折れ曲がり部を溶接などの接続処理をおこなってこれらを配設する態様と比べて、溶接作業の手間がなく、また、接続処理の信頼性を考慮する必要がない。
【００８３】
本発明の態様４に係る壁掛け機構は、上記態様１から３において、上記第２の脚部２２と上記第２の接触部１２とには、上記ベース金具１０の所定位置に上記壁掛け金具２０を位置決めするための位置決め部（位置決め用穴２２１、位置決め用凸部１２１）が設けられていてもよい。
【００８４】
上記の構成によれば、位置決め部を用いることにより位置決め精度を高めることが可能である。
【００８５】
本発明の態様５に係る壁掛け機構は、上記態様１から４において、上記折れ曲がり部１１３の先端部分１１３ａは、上記離間部（溝部１３）側に向かって先細りしているテーパー形状となっていてもよい。
【００８６】
上記の構成によれば、折れ曲がり部の先端部分がテーパー形状を有していることから、コの字型の構造部分への上記折れ曲がり部の嵌挿を容易に実現することができ、生産性の向上に寄与することができる。
【００８７】
本発明の態様６に係る壁掛け機構は、上記態様１から５において、上記壁掛け金具２０には、更に、上記本体部２３を挟んで対向する箇所に第３の脚部２５と第４の脚部２６とを有しており、上記ベース金具１０の上記離間部（溝部１３）には、上記第３および第４の脚部２５，２６を嵌合する嵌合部（開口部１３ａ，１３ａ）が設けられていてもよい。
【００８８】
上記の構成によれば、第３の脚部と第４の脚部を嵌合部に嵌合していることにより、より一層の取り付け信頼性の向上に寄与することができ、ひいては壁掛け強度の向上に寄与することができる。
【００８９】
本発明の態様７に係る壁掛け金具は、ベース金具１０の片面側に取り付けて用いることができる壁掛け金具２０であって、上記ベース金具１０と接触する第１および第２の脚部２１，２２と、上記第１の脚部２１および上記第２の脚部２２の間の位置に在る本体部２３とを有し、上記第１の脚部２１は、当該第１の脚部２１と上記本体部２３と上記第２の脚部２２とが配列している方向に対して垂直方向に所定の幅Ｗ１を有する上面（第１の上面２１１）と、当該幅Ｗ１の両端において、当該上面（第１の上面２１１）から立ち上がる方向に屈曲した第１および第２の屈曲片２１５ａ，２１５ｂとを有しており、上記上面（第１の上面２１１）と上記第１の屈曲片２１５ａと上記第２の屈曲片２１５ｂとによって構成されるコの字型の構造部分に、上記ベース金具１０の一部分（折れ曲がり部１１３）を嵌挿する構成となっていることを特徴としている。
【００９０】
上記の構成によれば、上記コの字型の構造部分を設けて、ベース金具の一部分を嵌挿することができる構成となっていることから、コの字型の構造部分が、ベース金具と壁掛け金具との位置決めに寄与し、および、ベース金具への壁掛け金具の取り付けに寄与する。よって、簡易な構成でありながら、十分な壁掛け強度を実現する壁掛け機構の提供に寄与することができる。
【００９１】
また上記の構成によれば、従来のように複数箇所での位置決めと、複数本でのビス留めが不要となる。したがって、従来と比較して、取り付け作業性が向上し、生産性のアップに寄与し、壁掛け機構を低コストで提供することに寄与することができる。
【００９２】
また、従来と比較してビス留め本数を削減することができることから、解体も容易であり、リサイクル性を考慮し、環境面に配慮した壁掛け機構に寄与する壁掛け金具であると言える。
【００９３】
本発明の態様８に係るベース金具は、ベース金具１０と接触する第１および第２の脚部２１，２２と、当該第１の脚部２１および当該第２の脚部２２の間の位置に在る本体部２３とを有する壁掛け金具２０を、片面側に取り付ける当該ベース金具１０であって、上記第１の脚部２１と接触する第１の接触部１１と、上記第２の脚部２２と接触する第２の接触部１２と、当該第１の接触部１１および当該第２の接触部１２の間の位置に在って上記本体部２３と対向する位置に在る離間部（溝部１３）とを有しており、上記第１の接触部１１は、上記片面（上面１１１）から立ち上がった立ち上がり部１１２と、当該立ち上がり部１１２に連なり、上記離間部（溝部１３）側に折れ曲がってなる折れ曲がり部１１３とを有しており、上記立ち上がり部１１２と上記折れ曲がり部１１３とによって形成される間隙部分に、上記第１の脚部２１を嵌挿することができ、上記第１の脚部２１における、当該第１の脚部２１と上記本体部２３と上記第２の脚部２２とが配列している方向に対して垂直方向に所定の幅Ｗ１を有する上面（第１の上面２１１）と、当該幅Ｗ１の両端において、当該上面（第１の上面２１１）から立ち上がる方向に屈曲した第１および第２の屈曲片２１５ａ，２１５ｂとのうちの当該第１および第２の屈曲片２１５ａ，２１５ｂと接触する端部（端部１１５ａ，１１５ｂ）を、上記折れ曲がり部１１３は有していることを特徴としている。
【００９４】
上記の構成によれば、上記コの字型の構造部分への上記折れ曲がり部の嵌挿が、ベース金具と壁掛け金具との位置決め、および、ベース金具への壁掛け金具の取り付けの双方の役割を果たし、簡易な構成でありながら、十分な壁掛け強度を実現する壁掛け機構の提供に提供することができる。
【００９５】
また上記の構成によれば、従来のように複数箇所での位置決めと、複数本でのビス留めが不要となる。したがって、従来と比較して、取り付け作業性が向上し、生産性のアップに寄与し、壁掛け機構を低コストで提供することに寄与することができる。
【００９６】
また、従来と比較してビス留め本数を削減することができることから、解体も容易であり、リサイクル性を考慮し、環境面に配慮した壁掛け機構に寄与するベース金具であるであると言える。
【００９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９８】
本発明は、装置、機器あるいは筐体を壁掛け式で配設するための壁掛け機構として採用することができ、特に、十分な壁掛け強度を実現することができるため、大画面を有する薄型テレビを壁掛けする際に好適に利用することができる。
【符号の説明】
【００９９】
１  壁掛け機構
１０  ベース金具
１１  第１の接触部
１２  第２の接触部
１３  溝部（離間部）
１３ａ，１３ａ  開口部（嵌合部）
２０  壁掛け金具
２１  第１の脚部
２２  第２の脚部
２３  本体部
２３ａ  上面
２３ｂ  螺子孔
２３ｃ  円筒部
２５  第３の脚部
２６  第４の脚部
３０  雄螺子
４０  支持体
５０  表示装置
１１１  上面
１１２  立ち上がり部
１１３  折れ曲がり部
１１３ａ  先端部分
１１４  上面
１１５ａ，１１５ｂ  端部
１１６  貫通部分
１１７  ビス留め用の孔
１２１  位置決め用凸部
２１１  第１の上面
２１２  第２の上面
２１４  ビス留め用の孔
２１５ａ  第１の屈曲片
２１５ｂ  第２の屈曲片
２２１  位置決め用穴
【図１】
2014192634.tif 000003
【図２】
2014192634.tif 000004
【図３】
2014192634.tif 000005
【図４】
2014192634.tif 000006
【図５】
2014192634.tif 000007
【図６】
2014192634.tif 000008